(57)【要約】【課題】縁枠付きの水槽に送風機等の付属機器を確実に取り付けることができるアタッチメントを提供する。【解決手段】本アタッチメント１は、下向きコ字状の嵌着部２０を有するアタッチメント本体２と、嵌着部２０の溝内に着脱自在なスペーサ部材３とを備える。縁枠６、７の種類に応じて、アタッチメント本体２を、そのコ字溝２１を縁枠６に外嵌するように取り付ける第１取付形態と、アタッチメント本体２を、そのコ字溝２１をスペーサ部材３を介して縁枠７に外嵌するように取り付ける第２取付形態との２つの形態を選択的に使用可能に構成される。第１及び第２のいずれの取付形態においても、アタッチメント１が、縁枠６、７の両側部及び上部にそれぞれ係止されるよう構成される。【選択図】      図４
2006055083.tif 000002
【特許請求の範囲】
【請求項１】
上端開口周縁部に沿って縁枠が設けられた観賞飼育容器に付属機器を取り付けるための観賞飼育容器の付属機器取付用アタッチメントであって、
両側片の上端間に連結片が設けられた下向きコ字状の嵌着部を有し、外面に付属機器を取付可能なアタッチメント本体と、
前記嵌着部のコ字溝内に着脱自在なスペーサ部材とを備え、
縁枠の種類に応じて、前記アタッチメント本体を、その嵌着部のコ字溝を縁枠に外嵌するように取り付ける第１取付形態と、前記アタッチメント本体を、その嵌着部のコ字溝を前記スペーサ部材を介して縁枠に外嵌するように取り付ける第２取付形態との２つの形態を選択的に使用可能に構成され、
前記第１取付形態においては、前記アタッチメント本体の嵌着部における両側片及び連結片が、縁枠の両側部及び上部にそれぞれ係止されるよう構成される一方、
前記第２取付形態においては、前記アタッチメント本体の嵌着部における両側片及び連結片が、その片のうち少なくとも１つの片が前記スペーサ部材を介した状態で、縁枠の両側部及び上部にそれぞれ係止されるよう構成されてなることを特徴とする観賞飼育容器の付属機器取付用アタッチメント。
【請求項２】
前記嵌着部における一側片の内側に、前記スペーサ部材が着脱自在に構成され、
前記第２取付形態においては、前記嵌着部における一側片の内面が前記スペーサ部材を介して縁枠の一側部に係止されるとともに、他側片及び連結片が縁枠の他側部及び上部に係止されるよう構成されてなる請求項１に記載の観賞飼育容器の付属機器取付用アタッチメント。
【請求項３】
前記嵌着部における両側片の下端内側に係止爪が設けられ、
前記第１取付形態においては、前記嵌着部における両側片の係止爪が、縁枠における両側部の下端に係止されるよう構成されてなる請求項１又は２に記載の観賞飼育容器の付属機器取付用アタッチメント。
【請求項４】
前記アタッチメント本体の嵌着部における連結片の上面に、付属機器を着脱自在に取り付けるための付属機器取付片が上方へ延びるように立設されてなる請求項１ないし３のいずれかに記載の観賞飼育容器の付属機器取付用アタッチメント。
【発明の詳細な説明】
【技術分野】
【０００１】
この発明は、例えば観賞魚用水槽等の観賞飼育容器における上端開口部周縁の縁枠に、冷却用送風機等の付属機器を取り付けるための観賞飼育容器の付属機器取付用アタッチメントに関する。
【背景技術】
【０００２】
観賞魚用水槽で熱帯魚等を飼育する場合、良好な飼育環境を得るために水温を適当に調整するのが望ましく、例えば夏期には水槽内の水を冷却して、水温が極端に上昇するのを防止するのが良い。
【０００３】
下記特許文献１は、水槽の縁に送風機を取り付けてその送風機によって水槽内に風を送り込むことにより、水槽内の水を冷却するようにした水槽冷却装置を開示している。
【０００４】
この冷却装置は、送風機の下端にクリップが設けられ、そのクリップを水槽の上端開口縁部に嵌め込むことにより、送風機を水槽に取り付けるようにしている。
【特許文献１】特開平８−７０７３１号公報（３頁、図１−２）
【発明の開示】
【発明が解決しようとする課題】
【０００５】
上記クリップ止め方式の送風機は、シンプルな外観形態を特徴とするフレームレス水槽に取り付けることを前提として考えられたものであるが、従来から一般的である標準的なフレーム（縁枠）付き水槽にも手軽に取り付けられる技術の提供が望まれる。
【０００６】
しかしながら、水槽の上端開口部周縁に取り付けられるプラスチック製の縁枠は、水槽周壁の透明板に外嵌するものであるため、縁枠付きの水槽では、縁枠が存在する分、上端開口部周縁の厚み（幅）寸法が大きくなる。そればかりか、水槽の種類によっても、縁枠の寸法が大きく異なっている。このため上記従来の送風機では、水槽側の縁枠の幅が大き過ぎて、その幅広の縁枠にクリップを嵌め込むことができず、送風機を取り付けることができないという問題が発生する。
【０００７】
この発明は、上記従来技術の問題を解消し、上端開口縁部に縁枠が取り付けられた観賞魚用水槽等の観賞飼育容器に、送風機等の付属機器を確実に取り付けることができる観賞飼育容器の付属機器取付用アタッチメントを提供することを目的とする。
【課題を解決するための手段】
【０００８】
上記目的を達成するため、本発明は以下の構成を要旨としている。
【０００９】
［１］  上端開口周縁部に沿って縁枠が設けられた観賞飼育容器に付属機器を取り付けるための観賞飼育容器の付属機器取付用アタッチメントであって、
両側片の上端間に連結片が設けられた下向きコ字状の嵌着部を有し、外面に付属機器を取付可能なアタッチメント本体と、
前記嵌着部のコ字溝内に着脱自在なスペーサ部材とを備え、
縁枠の種類に応じて、前記アタッチメント本体を、その嵌着部のコ字溝を縁枠に外嵌するように取り付ける第１取付形態と、前記アタッチメント本体を、その嵌着部のコ字溝を前記スペーサ部材を介して縁枠に外嵌するように取り付ける第２取付形態との２つの形態を選択的に使用可能に構成され、
前記第１取付形態においては、前記アタッチメント本体の嵌着部における両側片及び連結片が、縁枠の両側部及び上部にそれぞれ係止されるよう構成される一方、
前記第２取付形態においては、前記アタッチメント本体の嵌着部における両側片及び連結片が、その片のうち少なくとも１つの片が前記スペーサ部材を介した状態で、縁枠の両側部及び上部にそれぞれ係止されるよう構成されてなることを特徴とする観賞飼育容器の付属機器取付用アタッチメント。
【００１０】
［１ａ］  縁枠は、プラスチック成形品をもって構成されてなる前項１に記載の観賞飼育容器の付属機器取付用アタッチメント。
【００１１】
［１ｂ］  観賞飼育容器が、観賞魚用水槽として構成されてなる前項１に記載の観賞飼育容器の付属機器取付用アタッチメント。
【００１２】
［１ｃ］  前記アタッチメント本体は弾力性を有するプラスチック成形品をもって構成されてなる観賞飼育容器の付属機器取付用アタッチメント。
【００１３】
［１ｄ］  前記スペーサ部材はプラスチック成形品をもって構成されてなる前項１に記載の観賞飼育容器の付属機器取付用アタッチメント。
【００１４】
［１ｅ］  前記付属機器は、送風機をもって構成されてなる前項１に記載の観賞飼育容器の付属機器取付用アタッチメント。
【００１５】
［２］  前記嵌着部における一側片の内側に、前記スペーサ部材が着脱自在に構成され、
前記第２取付形態においては、前記嵌着部における一側片の内面が前記スペーサ部材を介して縁枠の一側部に係止されるとともに、他側片及び連結片が縁枠の他側部及び上部に係止されるよう構成されてなる前項１に記載の観賞飼育容器の付属機器取付用アタッチメント。
【００１６】
［２ａ］  前記嵌着部の一側片に係合部（切欠部２６）が設けられるとともに、スペーサ部材の一側部に被係合部（係合突起３６）が設けられ、係合部が被係合部に係合された状態で、前記スペーサ部材が前記嵌着部のコ字溝内に収納されてなる前項２に記載の観賞飼育容器の付属機器取付用アタッチメント。
【００１７】
［３］  前記嵌着部における両側片の下端内側に係止爪が設けられ、
前記第１取付形態においては、前記嵌着部における両側片の係止爪が、縁枠における両側部の下端に係止されるよう構成されてなる前項１又は２に記載の観賞飼育容器の付属機器取付用アタッチメント。
【００１８】
［３ａ］  前記スペーサ部材の一側面に、前記アタッチメント本体の一側片の係合爪に対応して、係合溝（３２ｂ）が形成され、
前記スペーサ部材を前記アタッチメント本体のコ字溝内に収納した状態では、一側片の係合爪が前記係合溝（３２ｂ）に係合されてなる前項３に記載の観賞飼育容器の付属機器取付用アタッチメント。
【００１９】
［３ｂ］  前記スペーサ部材の他側面に係止爪（３２ａ）が設けられ、第２取付形態においては、係止爪（３２ａ）が縁枠の一側部下端に係止するよう構成されてなる前項３ａに記載の観賞飼育容器の付属機器取付用アタッチメント。
【００２０】
［３ｃ］  前記アタッチメント本体の連結片下面に第１凸段部（２４ａ）が設けられ、第１取付形態においては、第１凸段部（２４ａ）が縁枠の上部に当接係止するよう構成されてなる前項３に記載の観賞飼育容器の付属機器取付用アタッチメント。
【００２１】
［３ｄ］  前記アタッチメント本体の連結片下面に第２凸段部（２４ｂ）が設けられ、第２取付形態においては、第２凸段部（２４ｂ）が縁枠の上部に当接係止するよう構成されてなる前項３に記載の観賞飼育容器の付属機器取付用アタッチメント。
【００２２】
［３ｅ］  前記アタッチメント本体の連結片下面に係合突起（２４ｃ）が設けられ、
前記スペーサ部材を前記アタッチメント本体のコ字溝内に収納した状態では、前記係合突起（２４ｃ）が前記スペーサ部材の他側面上端に係止するよう構成されてなる前項３に記載の観賞飼育容器の付属機器取付用アタッチメント。
【００２３】
［４］  前記アタッチメント本体の嵌着部における連結片の上面に、付属機器を着脱自在に取り付けるための付属機器取付片が上方へ延びるように立設されてなる前項１ないし３のいずれかに記載の観賞飼育容器の付属機器取付用アタッチメント。
【００２４】
［４ａ］  付属機器にクリップが設けられ、そのクリップが前記付属機器取付片に取着されることにより、付属機器が前記付属機器取付片に取り付けられてなる前項４に記載の観賞飼育容器の付属機器取付用アタッチメント。
【００２５】
［４ｂ］  前記クリップは、一対の脚片を有し、その一対の脚片によって前記付属機器取付片を挟持することにより、付属機器が前記付属機器取付片に取り付けられてなる前項４に記載の観賞飼育容器の付属機器取付用アタッチメント。
【００２６】
［４ｃ］  前記付属機器取付片の両側に付属機器位置決め壁（２７）が設けられ、その位置決め壁（２７）に前記脚片が係止することにより、付属機器の位置決めが図られるよう構成されてなる前項４に記載の観賞飼育容器の付属機器取付用アタッチメント。
【発明の効果】
【００２７】
［１］の発明によれば、容器の縁枠にアタッチメント本体を嵌着できるため、そのアタッチメント本体を介して、付属機器を水槽縁部に確実に取り付けることができる。
【００２８】
更に本発明においては、容器に取り付けられる縁枠の種類に応じて、スペーサ部材を用いずにアタッチメント本体を縁枠に取り付ける第１取付形態と、スペーサ部材を用いてアタッチメント本体を縁枠に取り付ける第２取付形態との２つの形態を使い分けることにより、縁枠の種類にかかわらず、アタッチメント本体を縁枠に適合状態に嵌着固定することができる。従ってどのような種類の縁枠が取り付けられていようとも、水槽縁部に確実にアタッチメント本体を介して付属機器を確実に取り付けることができる。
【００２９】
しかも、縁枠の種類にかかわらず、アタッチメント本体の両側片及び連結片の３箇所を縁枠の両側部及び上端の３箇所に係止できるため、３点支持構造を形成できて、アタッチメント本体を縁枠に、より一層安定した状態に取り付けることができる。
【００３０】
［２］［３］の発明によれば、上記の効果をより確実に得ることができる。
【００３１】
［４］の発明によれば、付属機器を確実に取り付けることができる。
【発明を実施するための最良の形態】
【００３２】
図１はこの発明の実施形態であるアタッチメント（１）が取り付けられた観賞魚用水槽（５）を示す斜視図である。同図に示すようにこの水槽（５）の上端開口縁部にはその開口縁部に沿ってプラスチック製の縁枠（６）が取り付けられている。更に水槽（５）の側縁部上端には、アタッチメント（１）を介して送風機（５５）が取り付けられている。
【００３３】
図２及び図３に示すように水槽（５）の上端開口縁部に沿って取り付けられる縁枠（６）は、水槽（５）の周側壁上端における外面側に配置される一側部（６２）と、内面側に配置される他側部（６３）と、上端面に配置される上部（６４）とを有している。上部（６４）の下面側には、リブ（６５）が一体に設けられており、一側部（６２）、上部（６４）及びリブ（６５）によって下向きに開放した嵌合溝（６１）が形成されている。そしてその嵌合溝（６１）内に水槽（５）の周側壁上端（５ａ）がシリコン製接着剤（８）を介して嵌め込まれることにより、縁枠（６）が水槽（５）の上端開口縁部に取り付けられている。
【００３４】
また縁枠（６）の他側部（６３）には水平方向に沿って水槽内側に延びる水平棚部（６３ｂ）が設けられており、この水平棚部（６３ｂ）上には、必要に応じて、水槽（５）の蓋等が載置されて取り付けられるよう構成されている。
【００３５】
更に縁枠（６）の上部（６４）における上面には、上方へ延びる突条部（６４ａ）が形成されている。
【００３６】
なお水槽（５）に取り付けられる縁枠は、多くの種類があり、水槽周側壁の板厚方向に対応する長さ（幅）寸法が長いもの（幅広の縁枠）と、短いもの（幅狭の縁枠）との２つに大別される。上記図２及び図３に示す縁枠（６）は、幅広タイプのものを示している。これに対し、図４及び図５に示す水槽（５）の縁枠（７）は幅狭タイプのものである。つまりこの幅狭の縁枠（７）は、上記幅広の縁枠（６）と比較して、水平棚部（７３ｂ）の長さが短く形成されて、全体として幅が小さく形成されている。
【００３７】
なおこの幅狭の縁枠（７）においては、一側部（７２）、他側部（７３）及び上部（７４）を有し、これらの部分（７２）〜（７４）によって下向きに開放する嵌合溝（７１）が形成されている。そして、その嵌合溝（７１）内に水槽（５）の周側壁上端がシリコン製接着剤（８）を介して嵌め込まれることにより、縁枠（７）が水槽（５）の上端開口縁部に沿って取り付けられるものである。
【００３８】
図４ないし図８に示すように、付属機器取付用アタッチメント（１）は、アタッチメント本体（２）と、スペーサ部材（３）とを基本的な構成要素としている。
【００３９】
アタッチメント本体（２）は、弾性を有するプラスチック成形品からなり、略下向きコ字状の嵌着部（２０）と、嵌着部（２０）に一体成形された付属機器取付片（２５）とを備えている。
【００４０】
嵌着部（２０）は、そのコ字溝（２１）内に上記幅広の縁枠（６）を適合状態に収納可能に構成されており、一側片（２２）と、他側片（２３）と、両側片（２２）（２３）の上端部間を連結する連結片（２４）とを有している。
【００４１】
一側片（２２）は、その内側に上記幅広の縁枠（６）の一側部（６２）を収納できる形状に形成されるとともに、下端に、縁枠（６）の一側部（６２）の下端に係合可能な内向きの係止爪（２２ａ）が一体に形成されている。更に一側片（２２）の両側部には、矩形状の切欠部（２６）（２６）が形成されている。
【００４２】
他側片（２３）は、その下端に縁枠（６）の他側部（６３）の下端に係合可能な内向きの係止爪（２３ａ）が一体に形成されている。
【００４３】
更に連結片（２４）の内面には、幅広の縁枠（６）の突条部（６４ａ）に係止可能な第１凸段部（２４ａ）が形成されるとともに、幅狭の縁枠（７）の上部（７４）に係止可能な第２凸段部（２４ｂ）が形成されている。更に連結片（２４）の内面には、スペーサ部材（３）の上部に係合可能な係合突起（２４ｃ）が形成されている。
【００４４】
付属機器取付片（２５）は、連結片（２４）の上面に一体に形成されており、この取付片（２５）の一側面両側には、上下方向に沿って、付属機器位置決め壁（２７）（２７）が一体に形成されている（図８参照）。
【００４５】
一方、スペーサ部材（３）は、プラスチックの一体成形品をもって構成されており、アタッチメント本体（２）の嵌着部（２０）内における一側半部（一側片２２の内側）に適合状態に収納し得る形状に形成されている。
【００４６】
このスペーサ部材（３）には、その一側面下部に、アタッチメント本体（２）の一側片（２２）における係止爪（２２ａ）に対応して、係合溝（３２ｂ）が図６の矢符Ｙに示す方向（両側方向）に沿って形成されるとともに、一側面両側には、上記一側片（２２）の切欠部（２６）（２６）に対応して、係合突起（３６）（３６）がそれぞれ形成されている。
【００４７】
またスペーサ部材（３）の他側面下端には、上記狭幅の縁枠（７）の一側部（６２）の下端に係合可能な係止爪（３２ａ）が形成されている。
【００４８】
そしてスペーサ部材（３）をアタッチメント本体（２）の嵌着部（２０）内に収納した際には、アタッチメント本体（２）側の連結片（２４）の下面にスペーサ部材（３）の上面が当接係止された状態で、アタッチメント本体（２）の係止爪（２２ａ）が、スペーサ部材（３）の係合溝（３２ｂ）に係合されることにより、スペーサ部材（３）における図４の矢符Ｚに示す方向（上下方向）の位置固定が図られる。更にアタッチメント本体（２）の一側片（２２）の内側にスペーサ部材（３）の外面が当接係止された状態で、アタッチメント本体（２）の係合突起（２４ｃ）がスペーサ部材（３）の他側面上端が係合されることにより、スペーサ部材（３）における図４の矢符Ｘに示す方向（内外方向）の位置固定が図られる。更にアタッチメント本体（２）の両側切欠部（２６）（２６）にスペーサ部材（３）の両側係合突起（３６）（３６）が係合されることにより、スペーサ部材（３）における図６の矢符Ｙに示す方向（両側方向）の位置固定が図られる。こうしてスペーサ部材（３）は、周囲６方向全ての位置固定が図られた状態でアタッチメント本体（２）内に適合状態に収納可能に構成されている。
【００４９】
また図１及び図２に示すように、アタッチメント（１）を用いて取り付けられる送風機（５５）は、送風機本体（５６）と、その下端に設けられたクリップ（５７）を有している。
【００５０】
送風機本体（５６）内には送風ファン（図示省略）が設けられており、スイッチ操作によってこのファンが回転駆動することにより、送風口（５６ａ）から空気が流出されるように構成されている。
【００５１】
またクリップ（５７）は、一対の脚片（５７ａ）（５７ｂ）を有しており、一方の脚片（５７ａ）が自身の弾性力によって他方の脚片（５７ａ）に近接する方向に付勢されている。そして一対の脚片（５７ａ）（５７ｂ）間に、上記アタッチメント（１）の付属機器取付片（２５）を差し込むように送風機（５５）を設置することにより、一対の脚片（５７ａ）（５７ｂ）が取付片（２５）を挟持して、送風機（５５）が取付片（２５）に支持されるよう構成されている。
【００５２】
本実施形態においては、タイプの異なる縁枠（６）（７）が取り付けられた複数種の水槽（５）のいずれに対しても、アタッチメント（１）を用いて送風機（５５）等の付属機器を確実に取り付けることができる。
【００５３】
例えば図２及び図３に示すように、幅広の縁枠（６）が取り付けられた水槽（５）に対し、送風機（５５）を取り付ける場合には、スペーサ部材（３）を用いずにアタッチメント本体（２）のみを用いる。すなわちアタッチメント本体（２）を、そのコ字溝（２１）内に縁枠（６）を嵌め込むように設置する。これによりアタッチメント本体（２）の嵌着部（２０）における連結片（２４）の第１凸段部（２４ａ）が、縁枠（６）の突条部（６４ａ）に当接係止されるとともに、両側片（２２）（２３）の係止爪（２２ａ）（２３ａ）が、縁枠（６）の両側部（６２）（６３）の下端に弾性係止する。こうしてアタッチメント本体（２）を縁枠（６）の両側及び上部の３点で支持した状態に取り付ける。
【００５４】
その後、アタッチメント本体（２）の付属機器取付片（２５）に、送風機（５５）のクリップ（５７）を挿着することにより、送風機（５５）をアタッチメント（１）を介して水槽（５）に確実に取り付けることができる。なお送風機（５５）は、アタッチメント（１）を水槽（５）に取り付ける前に、予めアタッチメント（１）に取り付けておいても良い。
【００５５】
一方図４ないし図６に示すように、幅狭の縁枠（７）が取り付けられた水槽（５）に対し、送風機（５５）を取り付ける場合には、アタッチメント（１）の本体（２）とスペーサ部材（３）との双方を用いる。すなわちアタッチメント本体（２）の嵌着部（２０）における一側片（２２）の内側に、スペーサ部材（３）を嵌め込んで固定する。このとき上記したようにアタッチメント本体（２）の係止爪（２２ａ）及び切欠部（２６）が、スペーサ部材（３）の係合溝（３２ｂ）及び係合突起（３６）に係合されることにより、スペーサ部材（３）がアタッチメント本体（２）に確実に固定される。
【００５６】
こうしてアタッチメント本体（２）にスペーサ部材（３）を組み付けてから、そのアタッチメント（１）を、そのコ字溝（２１）内に幅狭の縁枠（７）を嵌め込むように設置する。これによりアタッチメント本体（２）の嵌着部（２０）における連結片（２４）の第２凸段部（２４ｂ）が、縁枠（７）の上端面に当接係止されるとともに、他側片（２３）の係止爪（２３ａ）が、縁枠（７）の他側部（７３）の下端に弾性係止する。更にスペーサ部材（３）の係止爪（３２ａ）が縁枠（７）の一側部（７２）の下端に弾性係止することにより、アタッチメント（２）の一側片（２２）がスペーサ部材（３）を介して縁枠（７）の一側部（７２）に支持される。こうしてアタッチメント（１）を縁枠（６）の両側及び上部の３点で支持した状態に取り付ける。
【００５７】
その後、上記と同様に、アタッチメント（１）の付属機器取付片（２５）に、送風機（５５）のクリップ（５７）を挿着することにより、送風機（５５）をアタッチメント（１）を介して水槽（５）に確実に取り付けることができる。なお上記と同様、送風機（５５）を予めアタッチメント（１）に取り付けておいて、そのアタッチメント（１）を水槽（５）に取り付けるようにしても良い。
【００５８】
以上のように、本実施形態においては、水槽（５）に取り付けられる縁枠（６）（７）の種類に応じて、スペーサ部材（３）を用いずにアタッチメント（１）を縁枠に取り付ける第１取付形態と、スペーサ部材（３）を用いてアタッチメント（１）を縁枠に取り付ける第２取付形態との２つの形態を使い分けて、アタッチメント（１）を縁枠（６）（７）に取り付けるものであるため、縁枠（６）（７）の種類にかかわらず、アタッチメント（１）を縁枠（６）（７）に適合状態に嵌着固定することができる。従ってどのような種類の縁枠（６）（７）が取り付けられていようとも、水槽（５）に確実にアタッチメント（１）を取り付けることができ、そのアタッチメント（１）を介して送風機（５５）等の付属機器を確実に取り付けることができる。
【００５９】
特に本実施形態においては、アタッチメント（１）をその両側片（２２）（２３）及び連結片（２４）の３箇所を縁枠（６）（７）の両側部及び上端の３箇所に係止するものであるため、３点支持構造を形成できて、アタッチメント（１）を縁枠（６）（７）に、より一層安定した状態に取り付けることができる。
【００６０】
また本実施形態においては、図８に示すようにアタッチメント（１）の付属機器取付片（２５）の両側に位置決め壁（２７）（２７）を形成しているため、取付片（２５）に送風機（５５）のクリップ（５７）を差し込んで固定した際に、クリップ（５７）の脚片（５７ｂ）が取付片（２５）の位置決め壁（２７）（２７）に係止することにより、アタッチメント（１）に対してクリップ（５７）の位置ずれ、ひいては送風機（５５）の位置ずれを有効に防止することができる。
【００６１】
なお上記実施形態においては、アタッチメントを用いて送風機を取り付ける場合を例に挙げて説明したが、それだけに限られず、本発明においては、アタッチメントを用いて、照明装置等の他の付属機器を取り付けるようにしても良い。
【００６２】
また上記実施形態においては、アタッチメントを２種類の縁枠に取り付ける場合を例に挙げて説明したが、それだけに限られず、本発明においては、アタッチメントを３種類以上の縁枠に取り付けることも可能である。
【図面の簡単な説明】
【００６３】
【図１】この発明の第１実施形態である観賞魚用水槽を示す斜視図である。
【図２】第１実施形態の水槽におけるアタッチメント周辺を示す拡大断面図である。
【図３】図２の分解断面図である。
【図４】この発明の第２実施形態である水槽におけるアタッチメント周辺を示す拡大断面図である。
【図５】図４の分解断面図である。
【図６】図４のVI−VI線断面図である。
【図７】この発明の実施形態に適用されたアタッチメントを分解して示す斜視図である。
【図８】実施形態のアタッチメントを示す一側面図である。
【符号の説明】
【００６４】
１…アタッチメント
２…アタッチメント本体
２０…嵌着部
２１…コ字溝
２２…一側片
２２ａ…係止爪
２３…他側片
２３ａ…係止爪
２４…連結片
２５…付属機器取付片（送風機取付片）
３…スペーサ部材
３３ａ…係止爪
５…水槽
５５…送風機（付属機器）
６、７…縁枠
６２、７２…一側部
６３、７３…他側部
６４、６５…上部
【図１】
2006055083.tif 000003
【図２】
2006055083.tif 000004
【図３】
2006055083.tif 000005
【図４】
2006055083.tif 000006
【図５】
2006055083.tif 000007
【図６】
2006055083.tif 000008
【図７】
2006055083.tif 000009
【図８】
2006055083.tif 000010